(57)【要約】      （修正有）【課題】  施工が容易で、設置状態の見栄え性が向上する浴室壁の補強構造を提供する。【解決手段】  浴室１の既存壁面３に室内側から補強壁５をビス４等で固設して補強する構造であって、補強壁５は、床面２から天井までの高さ寸法を有し、既存壁面３との仕上がり段差が目立たないように側端縁には傾斜状の傾斜面取部５ａが一体成形され、補強壁５の室内側に手摺り６，水栓７，洗面器台８等を強固に後付けすることができる。【選択図】  図１
2007023518.tif 000002
【特許請求の範囲】
【請求項１】
既存浴室壁面に室内側から補強壁を固設して補強する構造であって、前記補強壁は、床から天井までの高さを有し既存浴室壁面との段差が目立たないように側端縁が傾斜状に面取りされていることを特徴とする浴室壁の補強構造。
【請求項２】
既存浴室壁面に室内側から補強壁を固設して補強する構造であって、前記補強壁の側端縁に前記既存浴室壁面との段差が目立たなくなるような面取り部材を取り付けたことを特徴とする浴室壁の補強構造。
【請求項３】
既存浴室壁面に室内側から補強壁を固設して補強する構造であって、前記補強壁の少なくとも上端縁の前面を覆うことのできるカバー部材は、前記既存浴室壁面に固定された受け部材に着脱可能に構成されていることを特徴とする浴室壁の補強構造。
【請求項４】
既存浴室壁面に室内側から補強壁を固設して補強する構造であって、前記補強壁の少なくとも上端縁の前面を覆うことのできるカバー部材を設けるとともに、該カバー部材の裏側に挿入状態となる補強壁の端縁に段部を形成し、前記カバー部材と前記補強壁の表面が面一となるように構成したことを特徴とする浴室壁の補強構造。
【発明の詳細な説明】
【技術分野】
【０００１】
本発明は、既存浴室壁面に室内側から補強壁を固設して補強する浴室壁の補強構造に関するものである。
【背景技術】
【０００２】
従来、特許文献１に開示されているように、壁全体に補強板を設置して既存壁面を補強する方法がある。
【特許文献１】特開２０００−２７４０９９号公報
【発明の開示】
【発明が解決しようとする課題】
【０００３】
上記特許文献１に開示されているような方法では、浴室のような大空間で１枚の補強板により壁全体を補強するのは困難であり、どうしても既存浴室壁面と補強板との境目の段差が目立ってしまい、補強板の設置状態の意匠性が悪くなってしまうという問題点があった。
【課題を解決するための手段】
【０００４】
本発明は上記従来の問題点に鑑み案出したものであって、既存浴室壁面との段差が目立たず、すっきりとした設置状態が得られる浴室壁の補強構造を提供せんとするものであり、その請求項１は、既存浴室壁面に室内側から補強壁を固設して補強する構造であって、前記補強壁は、床から天井までの高さを有し既存浴室壁面との段差が目立たないように側端縁が傾斜状に面取りされていることである。
【０００５】
また、請求項２は、既存浴室壁面に室内側から補強壁を固設して補強する構造であって、前記補強壁の側端縁に前記既存浴室壁面との段差が目立たなくなるような面取り部材を取り付けたことである。
【０００６】
また、請求項３は、既存浴室壁面に室内側から補強壁を固設して補強する構造であって、前記補強壁の少なくとも上端縁の前面を覆うことのできるカバー部材は、前記既存浴室壁面に固定された受け部材に着脱可能に構成されていることである。
【０００７】
また、請求項４は、既存浴室壁面に室内側から補強壁を固設して補強する構造であって、前記補強壁の少なくとも上端縁の前面を覆うことのできるカバー部材を設けるとともに、該カバー部材の裏側に挿入状態となる補強壁の端縁に段部を形成し、前記カバー部材と前記補強壁の表面が面一となるように構成したことである。
【発明の効果】
【０００８】
本発明の補強壁は、床から天井までの高さを有し、既存浴室壁面との段差が目立たないように側端縁が傾斜状に面取りされていることにより、既存浴室壁面に補強壁を固設した状態で、既存浴室壁面と補強壁の仕上げ段差が目立たなくなり、すっきりとした意匠性を呈して補強壁を浴室の壁面に施工できるものとなる。
【０００９】
また、補強壁の側端縁に、既存浴室壁面との段差が目立たなくなるような面取り部材を取り付けたことにより、既存浴室壁面と補強壁の仕上げ段差が目立たなくなり、補強壁の側端縁の水密性及び見栄え性が向上し、すっきりとした設置状態が得られるものとなる。
また、補強壁自体は単純な矩形パネルで良く、生産効率が向上するものとなる。
【００１０】
また、既存浴室壁面に室内側から固設される補強壁の少なくとも上端縁の前面を覆うことのできるカバー部材は、既存浴室壁面に固定された受け部材に着脱可能に構成されていることにより、補強壁の上端縁等の前面をカバー部材で覆って、施工誤差による天井面と補強壁の上端縁間の隙間等を良好に覆蓋して、すっきりとした設置状態が得られるものとなり、カバー部材は受け部材に対し着脱できるため、施工も容易であり、カバー部材を変えることで補強壁の端縁の意匠，形状を容易に変更できるものとなる。
【００１１】
また、既存浴室壁面に室内側から固設される補強壁の少なくとも上端縁の前面を覆うことのできるカバー部材を設けるとともに、カバー部材の裏側に挿入状態となる補強壁の端縁に段部を形成し、カバー部材と補強壁の表面が面一となるように構成したことにより、カバー部材で補強壁の端縁を覆い、施工誤差による隙間等を良好にカバー部材で覆蓋して、すっきりとした設置状態を得ることができ、また、カバー部材と補強壁の表面が面一となるため、極めてすっきりとした設置状態となり、カバー部材の表面を補強壁の表面の意匠と同じにしておけば目立たなくなり、より意匠性に優れた設置状態が得られるものとなる。
【実施例】
【００１２】
以下、本発明の実施例を図面に基づいて説明する。
図１は、浴室の洗い場壁面に補強壁を設置した状態の斜視構成図である。
浴室１の既存壁面３に室内側から補強壁５をビス４等で固設して、この補強壁５の室内側に手摺り６，水栓７，洗面器台８等を強固に後付けすることができるものであり、補強壁５は床面２から天井までの高さ寸法を有し、露出状態となる図示左側端縁には傾斜状の傾斜面取部５ａが一体形成されている。
なお、図２は、傾斜面取部５ａの部分の平面拡大構成図である。
【００１３】
このように露出する側の側端縁に一体状に傾斜面取部５ａを傾斜状に面取りして形成させておけば、浴室の既存壁面３に補強壁５を固設した状態で、この傾斜面取部５ａにより既存壁面３と補強壁５との仕上げ段差が目立たなくなり、すっきりとした状態で補強壁５を設置できるものとなり、浴室の意匠性が向上するものとなる。
【００１４】
なお、補強壁５は、例えばオレフィン系発泡板等の合板なみの強度を備えたもので構成されており、室内側から既存壁面３に固設するものであるため、後付け施工が容易であり、既存壁面３の裏側に補強を設ける場合に比べて極めて容易に施工できて、既存壁面３を強固に補強することができ、補強壁５の前面に強固に手摺り６，水栓７，洗面器台８等の器具を設置できるものである。
【００１５】
なお、図３の変更例に示すように、補強壁５は矩形パネルで構成しておき、別体の面取部材９を補強壁５の側端縁に取り付けて構成することもでき、この面取部材９は平面三角形状断面に形成されており、補強壁５を既存壁面３に固設した後に、補強壁５の側端縁にこの面取部材９を取り付けて、この面取部材９により既存壁面３との仕上がり段差を目立たないようにすることができるものとなる。また、この面取部材９により補強壁５の側端縁の水密性が確保されるものとなる。
【００１６】
なお、補強壁５を既存壁面３に設置する際に、図４に示すように、補強壁５の上端や下端にカバー部材１０，１０を設けて、このカバー部材１０，１０により補強壁５と天井面との隙間を覆蓋させることができ、カバー部材１０により施工誤差による隙間等を良好に吸収させて、補強壁５の設置状態を極めてすっきりとしたものとすることができるものである。
【００１７】
なお、図５に示すように、カバー部材１０の裏面に突起を突出させておき、この突起が係合される係合部を備えた受け部材１１を予め天井近くの既存壁面３にビス等で固設しておけば、この受け部材１１に対してカバー部材１０を着脱することができるものとなり、カバー部材１０により、天井と補強壁５の上端縁間の施工誤差による隙間等を吸収して、隙間をカバー部材１０で良好に隠蔽させて、すっきりとした設置状態が得られるものとなり、このカバー部材の意匠及び形状の異なるものを用意しておけば、後から意匠，形状の異なるカバー部材１０を受け部材１１に取り付けて、補強壁５の周縁の意匠性を変更させることが容易なものとなる。
【００１８】
また、図６に示すように、裏側へ突出する基部１０ａをビス等で既存壁面３に固設した時に、カバー部材１０と既存壁面３間に隙間Ｓが形成されるような断面形状のカバー部材１０としておき、このカバー部材１０の裏側の隙間Ｓ内に挿入可能な段部５ｂを補強壁５側に形成させておけば、この段部５ｂが隙間Ｓ内に嵌まり込んで施工された状態では、カバー部材１０の表面と補強壁５の表面が略面一状となり、すっきりとした設置状態が得られるものとなる。
しかも、補強壁５の表面の意匠と同一の表面意匠をカバー部材１０に施しておけば、カバー部材１０が補強壁５と一体感をなして、設置状態の意匠性が向上したものとなる。
このように、カバー部材１０により施工誤差による天井間との隙間等を良好に吸収して、極めてすっきりとした状態で補強壁５を施工できるものとなる。
【００１９】
なお、図７の平面構成図で示すように、浴室１の既存壁面３全体を、例えば２枚に分割された補強壁５Ａと５Ｂを用いて覆蓋することもでき、このような場合に、補強壁５Ａ側の側端縁には面一状に表面段部５ｃを形成させておき、この表面段部５ｃの裏側には隙間Ｓが形成され、この隙間Ｓ内に挿入可能な裏面段部５ｄを他方の補強壁５Ｂの側端縁に形成させておけば、一方側の補強壁５Ａの表面段部５ｃの裏側に他方側の補強壁５Ｂの裏面段部５ｄを挿入させて、あいじゃくり構造で良好に２枚の補強壁５Ａ，５Ｂを既存壁面３の全面を覆うように設置できるものである。
表面段部５ｃと裏面段部５ｄにより横方向の施工誤差を良好に吸収させることができ、一対の補強壁５Ａ，５Ｂを間口全体に亘りジャストフィットさせて施工できるものとなり、１枚もののパネルでは搬入が困難であるが、このように２枚に分離してあれば、良好に現場の浴室内に搬入して施工を容易に行なうことができるものとなる。
【図面の簡単な説明】
【００２０】
【図１】浴室の既存壁面に補強壁を設置した状態の斜視構成図である。
【図２】補強壁の要部拡大平面構成図である。
【図３】補強壁の側端縁に面取部材を取り付けた状態の要部平面概略構成図である。
【図４】補強壁の上端縁等をカバー部材で隠蔽させた状態の縦断面構成図である。
【図５】カバー部材を着脱可能な構造とした場合の補強壁の上端側の要部拡大縦断面構成図である。
【図６】さらにカバー部材を補強壁の表面と面一状に設置した状態の要部縦断面構成図である。
【図７】補強壁を２枚重ね合わせて施工した状態の平面概略構成図である。
【符号の説明】
【００２１】
１  浴室
２  床面
３  既存壁面
４  ビス
５（５Ａ，５Ｂ）  補強壁
５ａ  傾斜面取部
５ｂ  段部
５ｃ  表面段部
５ｄ  裏面段部
６  手摺り
７  水栓
８  洗面器台
９  面取部材
１０  カバー部材
１０ａ  基部
１１  受け部材
【図１】
2007023518.tif 000003
【図２】
2007023518.tif 000004
【図３】
2007023518.tif 000005
【図４】
2007023518.tif 000006
【図５】
2007023518.tif 000007
【図６】
2007023518.tif 000008
【図７】
2007023518.tif 000009